(57)【要約】【課題】メンテンナンスやアップグレードを容易にし、しかもコストを低減する携帯型コンピュータを提供する。【解決手段】本発明による携帯型コンピュータは、収容空間とこの収容空間に設けられた複数の電子部品４１とを有し、底面に電子部品４１を露出する開口が開けられたコンピュータ本体２０と、このコンピュータ本体２０に着脱自在に取り付けられ、コンピュータ本体２０に取り付けることにより収容空間を覆う底カバー２３と、を備える。【選択図】図２
2006216050.tif 000002
【特許請求の範囲】
【請求項１】
収容空間と前記収容空間に設けられた少なくとも一つの電子部品とを有し、底面に前記電子部品を露出する開口が開けられたコンピュータ本体と、
前記コンピュータ本体に着脱自在に取り付けられ、前記コンピュータ本体に取り付けることにより前記収容空間を覆う底カバーと、
を備えることを特徴とする携帯型コンピュータ。
【請求項２】
前記収容空間に設けられ、前記コンピュータ本体を補強する支持部材を、さらに備えることを特徴とする請求項１に記載の携帯型コンピュータ。
【請求項３】
前記支持部材は、金属から構成されることを特徴とする請求項２に記載の携帯型コンピュータ。
【請求項４】
前記コンピュータ本体は、キーボードモジュールまたはタッチパッドモジュールを設けるための少なくとも一つの開口を、さらに有することを特徴とする請求項１に記載の携帯型コンピュータ。
【請求項５】
前記コンピュータ本体は、前記底カバーとロック方式または係止方式によって結合されることを特徴とする請求項１に記載の携帯型コンピュータ。
【請求項６】
前記底カバーは、スパッタリングによって形成された金属層が設けられた第１表面を有することを特徴とする請求項１に記載の携帯型コンピュータ。
【請求項７】
前記コンピュータ本体は、上カバーとフレームによって組み合わせてなることを特徴とする請求項１に記載の携帯型コンピュータ。
【請求項８】
前記電子部品は、マザーボードであることを特徴とする請求項１に記載の携帯型コンピュータ。
【発明の詳細な説明】
【技術分野】
【０００１】
本発明は、携帯型コンピュータに関し、特にメンテンナンスやアップグレードを容易にできる携帯型コンピュータに関する。
【背景技術】
【０００２】
ノートブック型コンピュータは、移動的なワークステーションと見なされる。これは、ノートブック型コンピュータを携帯すれば、どこでもいつでも仕事することができるからである。さらに、ノートブック型コンピュータは、テーブル型コンピュータと比べ、体積が遥かに小さいため、テーブル型コンピュータの代わりに、市場の主流を占めていた。
【発明の開示】
【発明が解決しようとする課題】
【０００３】
しかし、ノートブック型コンピュータは、折畳可能な構造を持つため、メンテンナンスまたはアップグレードについて、テーブル型コンピュータより困難である。図１Ａに示すように、従来の携帯型コンピュータは、組み立てる際に、コンピュータ本体１の下カバー１２の中から、マザーボード１３、中央処理装置１８、キーボード１４、タッチパッド１５、上カバー１１を順次に組み立てて、それから、上カバー１１と下カバー１２をロックする。このため、ユーザがノートブック型コンピュータ内の部品、例えばマザーボード１３、中央処理装置１８、マザーボード１３上の部品などをメンテンナンスまたはアップグレードする際に、まず、ノートブック型コンピュータのコンピュータ本体１の上カバー１１を取り除き、それから、下カバー１２と内部の部品をメンテンナンスまたはアップグレードすることができる。
【０００４】
近来、メンテンナンスまたはアップグレードの利便性を向上するために、図１Ｂに示すように、ノートブック型コンピュータのメンテンナンスまたはアップグレードを必要とする箇所、例えばメモリ１６やハードディスク装置１７の下カバー１２に対する箇所に、孔を開けることにより、メンテンナンスまたはアップグレードの利便性を向上する。しかし、各孔に、それぞれ対応するカバー板１２１，１２１’を設置する必要があるため、カバー板１２１，１２１’のモールディングによるコストも相対的に増やす。また、孔を開けることは、コンピュータ本体の構造強度に悪影響を与えるため、構造補強の特別なデザインを要する。さらに、多くの孔から、電磁波がより漏れ易くなり、電磁波干渉（ＥＭＩ）を抑制するために、デザインがもっと複雑になる。
【０００５】
なお、ＤＩＹが普及している現在、流通業者のみならず、消費者自身もノートブック型コンピュータを購入する際に、基本な部品のみを購入し、ハードディスク、ＣＰＵ、メモリなどの部品が、消費者自身の好みによって、自由に組み合わせて実装される。従って、複雑な組立方式を改善しないと、多くの消費者の要請に答えることができない。
【０００６】
本発明は、上記問題に鑑みてなされたものであり、メンテンナンスやアップグレードを容易にし、しかもコストを低減する携帯型コンピュータを提供することを目的とする。
【課題を解決するための手段】
【０００７】
上記目的を達成するために、本発明による携帯型コンピュータは、収容空間とこの収容空間に設けられた複数の電子部品とを有し、底面に電子部品を露出する開口が開けられたコンピュータ本体と、コンピュータ本体に着脱自在に取り付けられ、コンピュータ本体に取り付けることにより収容空間を覆う底カバーと、を備える。
【発明の効果】
【０００８】
本発明に係わる携帯型コンピュータは、従来の下カバーの代わりに、底カバーを利用し、底カバーを取り外すのみで、内部の例えばＣＰＵ、メモリ、ハードディスク装置、マザーボードなどの電子部品について、メンテンナンスまたはアップグレードを行い、利便性を高めるとともに、底カバーに別途に孔を開けることによる構造強度の破壊がなく、しかも、コストを低減することもできる。
【０００９】
また、コンピュータ本体の構造が支持部材によって全体の構造強度が補強されるため、コンピュータ本体の構造をより安定化させる。さらに、金属材質の支持部材は、底カバーに形成された第１表面の金属層と、完全な電磁波干渉を抑制するシールドを形成するため、従来のように、孔を開けることによる電磁波干渉を抑制するために別途にデザインする必要はない。
【００１０】
なお、底カバーのモールディングが一回のみで済むため、従来技術に比べ、コストをさらに低減することができる。
【発明を実施するための最良の形態】
【００１１】
以下、図面を参照しながら、本発明の好適な実施例における携帯型コンピュータについて説明する。なお、同一の部材に同じ符号を付すことによりその説明を省略する。
【００１２】
図２は、本発明の好適な実施例における携帯型コンピュータを示す図である。携帯型コンピュータは、例えばノートブック型コンピュータであり、コンピュータ本体２０と、底カバー２３とを備える。
【００１３】
コンピュータ本体２０は、収容空間と、この収容空間に設けられた複数の電子部品４１とを有する。コンピュータ本体２０の底面には、露出電子部品４１を露出するための開口が設けられる。本実施例において、コンピュータ本体２０は、上カバー２１とフレーム２２とを組み合わせてなる。また、コンピュータ本体２０には、さらに、第１開口２１１と第２開口２１２とが開設される。第１開口２１１は、キーボードモジュール３１を設けるために用いられ、第２開口２１２は、タッチパッド(Touch Pad)モジュール３２を設けるために用いられる(図３Ａ参照)。
【００１４】
底カバー２３は、コンピュータ本体２０に取り付けられ、かつ収容空間を覆うことによって、携帯型コンピュータのコンピュータ本体を形成する。そして、底カバー２３をコンピュータ本体２０から取り外すと、電子部品４１が露出される。本実施例において、底カバー２３には、複数のねじ孔２３２が設けられ、ねじ２３３でねじ孔２３２を介してコンピュータ本体２０とねじ結合する。図３Ａに示すように、底カバー２３の側縁には、さらに、コンピュータ本体２０と係止するための複数の係止部２３４が設けられる。本実施例において、底カバー２３は、さらに、第１表面２３１を有する。第１表面２３１上には、金属層２３５が形成される。金属層２３５は、例えは、鉄片であり、または、スパッタリングによって形成される。
【００１５】
図３Ｂに示すように、本発明の好適な実施例における携帯型コンピュータは、更に、前記収容空間に設けられ、コンピュータ本体２０の構造強度を補強するための支持部材２４を備える。支持部材２４の材質は、例えば金属である。本実施例において、支持部材２４は、アルミニウムから構成されるため、比較的に軽くて、しかも、良好な支持効果を提供しコンピュータ本体２０の構造強度を補強する。第１表面２３１に対向する底カバー２３の表面上に複数のゴムパッド２３６が設けられる。携帯型コンピュータを使用する際に、これらのゴムパッド２３６をテーブルと接触させることにより、携帯型コンピュータが自在にスライドすることを防止する。もちろん、第１表面２３１に対向する底カバー２３の表面上に、ゴムパッド２３６と同様な機能を果たすフットパッドを設けることもできる。
【００１６】
図３Ｃに示すように、本実施例において、電子部品４１は、底カバー２３と支持部材２４との間に設けられる。電子部品４１は、例えば、マザーボード、中央処理装置、ハードディスク装置、光デイスク装置、放熱モジュール、メモリ、電池などである。さらに、一部分の電子部品４１、例えばマザーボードは、支持部材２４上に固定される。しかも、底カバー２３の第１表面２３１に形成された金属層２３５と支持部材２４とによって電磁波干渉を抑制するシールドが形成され、一部分の電子部品４１が発生した電磁波干渉を抑制することができる。また、発熱源、例えばＣＰＵの位置に対向する底カバー２３上に、放熱するための複数の放熱孔２３７を設けることもできる。そして、放熱孔２３７にさらに金属網を設置すれば、電磁波干渉を抑制する効果が得られる。
【００１７】
以上、本発明の実施の形態を、図面を参照して詳述してきたが、具体的な構成は、これらの実施の形態に限られるものではなく、本発明の要旨を逸脱しない範囲の設計変更等があっても、本発明に含まれる。
【図面の簡単な説明】
【００１８】
【図１Ａ】従来の携帯型コンピュータを示す図である。
【図１Ｂ】従来の携帯型コンピュータを示す図である。
【図２】本発明の好適な実施例における携帯型コンピュータを示す図である。
【図３Ａ】本発明の好適な実施例における携帯型コンピュータを示し、キーボードモジュールとタッチパッドモジュールとを示す図である。
【図３Ｂ】本発明の好適な実施例における携帯型コンピュータを示し、支持部材を示す図である。
【図３Ｃ】本発明の好適な実施例における携帯型コンピュータを示し、電子部品の配置状態を示す図である。
【符号の説明】
【００１９】
１  コンピュータ本体
１１  上カバー
１２  下カバー
１２１，１２１’  カバー板
１３  マザーボード
１４  キーボード
１５  タッチパッド
１６  メモリ
１７  ハードディスク装置
１８  中央処理装置
２０  コンピュータ本体
２１  上カバー
２１１  第１開口
２１２  第２開口
２２  フレーム
２３  底カバー
２３１  第１表面
２３２  ねじ孔
２３３  ねじ
２３４  係止部
２３５  金属層
２３６  ゴムパッド
２３７  放熱孔
２４  支持部材
３１  キーボードモジュール
３２  タッチパッドモジュール
４１  電子部品
【図１Ａ】
2006216050.tif 000003
【図１Ｂ】
2006216050.tif 000004
【図２】
2006216050.tif 000005
【図３Ａ】
2006216050.tif 000006
【図３Ｂ】
2006216050.tif 000007
【図３Ｃ】
2006216050.tif 000008